(57)【特許請求の範囲】
【請求項１】
地面に固定される門柱部と、一端が回転部を介して前記門柱部と連結し前記回転部を軸に旋回することで開閉する門扉部と、を有する門扉において、
前記門扉部の自由端側に設置される第１のキャスタと、
前記第１のキャスタよりも前記回転部側に設置される第２のキャスタと、を備え、
前記回転部は、前記門柱部側に固定された連結シャフトと、前記門扉部側に固定され前記連結シャフトよりも大きな内径を有し前記連結シャフトが可動な状態で挿入する複数の筒状部と、を有し、
前記筒状部は前記連結シャフトに対して上下方向にスライド可能であるとともに、上側の筒状部は門柱部側にずらして設置され、下側の筒状部は門扉部側にずらして設置され、
前記筒状部が前記連結シャフトに対して傾くことで、前記門扉部が前記門柱部に対して傾くことを特徴とする門扉。
【発明の詳細な説明】
【技術分野】
【０００１】
本発明は、門柱に対して旋回して開閉する門扉に関するものである。
【背景技術】
【０００２】
門柱に設置されたヒンジを軸に旋回して開閉する片持ち式の所謂スイングゲート型の門扉が例えば、商業施設、企業、工場、学校、その他施設の通用門、道路の通行規制用ゲート等に用いられている。しかしながら、このスイングゲートをスロープ等の斜面に設置した場合、斜面の斜度がわずかなものであっても、図６に示すように、開門時に門扉部３０の自由端側が斜面１から浮き上がる。そしてこのとき、門扉部３０の荷重モーメントは全て門柱部２０が支えることとなる。このため、大型のスイングゲートを斜面１に設置する場合、高い門柱部２０を用い、この門柱部２０の上部と門扉部３０の先側とを支持杆１０等で繋いで門柱部２０に掛かる荷重を軽減する対策が取られることが一般的である。また、門扉部３０の荷重に耐えられるよう門柱部２０の基礎を通常よりも強固とすることが一般的である。このため、斜面１に大型のスイングゲートを設置する場合、部材コスト及び設置コストが増大するという問題点がある。
【０００３】
ここで、下記［特許文献１］には、門扉部の自由端側に伸縮するキャスタを設置し、自由端側を接地することで門柱部に掛かる荷重を軽減する発明が開示されている。
【先行技術文献】
【特許文献】
【０００４】
【特許文献１】特開平１０−０８２２６４号公報
【発明の概要】
【発明が解決しようとする課題】
【０００５】
しかしながら、［特許文献１］に記載の発明は主に家庭用の小型で軽量なスイングゲートに用いるものであり、大型で重いスイングゲートには適用が難しいという問題点がある。
【０００６】
本発明は上記事情に鑑みてなされたものであり、斜面に設置した場合でも過大な負荷が門柱側に掛からず低コストな片持ち式の門扉を提供することを目的とする。
【課題を解決するための手段】
【０００７】
本発明は、
（１）地面に固定される門柱部２０と、一端が回転部４０を介して前記門柱部２０と連結し前記回転部４０を軸に旋回することで開閉する門扉部３０と、を有する門扉において、
前記門扉部３０の自由端側に設置される第１のキャスタ３２ａと、前記第１のキャスタ３２ａよりも前記回転部４０側に設置される第２のキャスタ３２ｂと、を備え、
前記回転部４０は、前記門柱部２０側に固定された連結シャフト４４と、前記門扉部３０側に固定され前記連結シャフト４４よりも大きな内径を有し前記連結シャフト４４が可動な状態で挿入する複数の筒状部４６と、を有し、
前記筒状部４６は前記連結シャフト４４に対して上下方向にスライド可能であるとともに、上側の筒状部４６は門柱部２０側にずらして設置され、下側の筒状部４６は門扉部３０側にずらして設置され、
前記筒状部４６が前記連結シャフト４４に対して傾くことで、前記門扉部３０が前記門柱部２０に対して傾くことを特徴とする門扉８０を提供することにより、上記課題を解決する。
【発明の効果】
【０００８】
本発明に係る門扉は、開閉時に門扉部が斜面にそって傾斜するため門柱部に過剰な荷重が掛かることがない。これにより、門扉の部材コストと設置コストとを低減することができる。
【図面の簡単な説明】
【０００９】
【図１】本発明に係る門扉を示す図である。
【図２】本発明に係る門扉の回転部の部分拡大斜視図である。
【図３】本発明に係る門扉の回転部の閉状態での模式断面図である。
【図４】本発明に係る門扉の回転部の開状態での模式断面図である。
【図５】本発明に係る門扉の回転部を示す図である。
【図６】従来の門扉を示す図である。
【発明を実施するための形態】
【００１０】
本発明に係る門扉８０の実施の形態について図面に基づいて説明する。尚、図１〜図４では、筒状部４６を直線状に配列して示している。ここで、図１（ａ）は斜面１に設置した本発明に係る門扉８０の閉状態を正面方向（坂下方向）から見た図である。また、図１（ｂ）は本発明に係る門扉８０の開状態を側方から見た図である。
【００１１】
本発明に係る門扉８０は、地面（ここでは、斜面１）に固定される門柱部２０と、この門柱部２０に対して旋回して通用口等の開閉を行う門扉部３０と、門柱部２０と門扉部３０の一端とを連結する回転部４０と、門扉部３０の自由端側に設置される第１のキャスタ３２ａと、第１のキャスタ３２ａよりも回転部４０側に設置される第２のキャスタ３２ｂと、を有している。また、門扉８０は門扉部３０が閉じたときに、門扉部３０の移動を制限するとともに施錠等に用いる門柱２２を有している。
【００１２】
次に、本発明に係る門扉８０の回転部４０について説明する。ここで、図２は回転部４０の部分拡大斜視図である。また、図３、図４は回転部４０の閉状態、開状態における模式断面図である。本発明に係る門扉８０の回転部４０は、図２、図３に示すように、門柱部２０側に軸持アーム４２を介して固定された連結シャフト４４と、門扉部３０側に固定され連結シャフト４４よりも大きな内径を備えた複数の筒状部４６と、を有している。そして、連結シャフト４４が筒状部４６内に可動な状態で挿入され構成される。よって、筒状部４６は連結シャフト４４に対して上下方向にスライドが可能であるとともに、図４に示すように連結シャフト４４との径の差（遊び）の分だけ連結シャフト４４（門柱部２０）に対して傾くことが可能である。これにより門扉部３０も連結シャフト４４（門柱部２０）に対して傾くことが可能となる。
【００１３】
尚、ここでは軸持アーム４２及び筒状部４６をそれぞれ３つずつ設けた例を示しているが、軸持アーム４２及び筒状部４６の数は２つ以上であれば特に限定はない。また、軸持アーム４２と筒状部４６とは同数でなくても良い。
【００１４】
次に、本発明に係る門扉８０の動作を説明する。先ず、図１（ａ）に示す門扉８０の閉状態においてロック機構２４等を解除する。次に、管理者等が門扉部３０を保持しながら自由端側を開方向に移動させる。これにより、筒状部４６が連結シャフト４４に対して回転する。これにより、門扉部３０は回転部４０を軸に開方向に旋回する。このとき、門扉８０は斜面１に設置されているため、門扉部３０の自由端側の地面（斜面１）の位置は旋回に伴って低くなる。このとき従来のスイングゲートでは、図６に示すように、門扉部３０が平行状態を維持するため門扉部３０が浮き、門柱部２０に過大な荷重がかかることとなる。しかしながら、本発明に係る門扉８０は、前述のように回転部４０を構成する筒状部４６が連結シャフト４４に対して可動なため門扉部３０の旋回に伴って徐々に傾き、これにより門扉部３０も斜面１に沿って長手方向に徐々に傾く。そして、筒状部４６の傾きの許容範囲を斜面１の斜度よりも大きくすることで、図１（ｂ）に示すように、第１のキャスタ３２ａ、第２のキャスタ３２ｂを常に斜面１に接地した状態で門扉部３０を開状態とすることができる。このため、本発明に係る門扉８０は門柱部２０に過剰な荷重が掛かることがなく、従来のスイングゲートに必要だった支持杆１０等の補強部材等が不要で、門扉８０自体の部材コストを低減することができる。また、過剰な荷重が掛からないため、通常の基礎やアンカー等によって門柱部２０を地面（斜面１）に容易に固定することができる。これにより、門扉８０の設置コストを低減することができる。
【００１５】
尚、筒状部４６の内径φ２は、斜面１の傾斜角をθ、筒状部４６の最上端から最下端までの長さをＬ、連結シャフト４４の径をφ１としたときに、以下の数式で算出することができる。尚、実際には下記の数値に１０％程度の余裕を持たせることが好ましい。
φ２＝Ｌ・ｓｉｎθ＋φ１
【００１６】
ここで、傾斜角θ＝１．５°の斜面１に長さ７６０ｃｍ、高さ１１０ｃｍの門扉部３０を設置する場合を考える。この場合、門扉部３０の長さ７６０ｃｍにおける斜面１の高低差は約２０ｃｍである。また、筒状部４６の最上端から最下端までの長さＬを１１０ｃｍとし、連結シャフト４４の径φ１をφ１．９ｃｍとした場合、筒状部４６の内径φ２がφ４．８ｃｍ以上（筒状部４６と連結シャフト４４との遊びが２．９ｃｍ以上）であれば、門扉部３０は第１のキャスタ３２ａ、第２のキャスタ３２ｂを常に斜面１に接地した状態での開閉が可能となる。
【００１７】
また、斜面１の傾斜角が比較的急で筒状部４６の径が過大となる場合、図５（ａ）に示すように筒状部４６を楕円もしくは長孔としても良い。さらに本発明に係る門扉８０は、図５（ｂ）に示すように、上側の筒状部４６を門柱部２０側にずらして設置し、下側の筒状部４６を門扉部３０側にずらして設置する。これらの構成によれば、筒状部４６の大径化を抑えつつ筒状部４６の傾斜角の許容範囲を拡大することができる。これにより、比較的急な斜面１に対しても本発明の適用が可能となる。尚、これらの構成の場合、軸持アーム４２の幅や長さ、設置位置等は筒状部４６の傾斜及び上下方向のスライドを阻害しないよう最適化する。
【００１８】
また、第２のキャスタ３２ｂの位置は、門扉部３０の回転部４０側の端から門扉部３０の長さの５％〜３０％の位置に設置することが好ましい。特に、斜面１の傾斜角が急な場合には、第２のキャスタ３２ｂの位置を内側（門柱部２０側）に設置することが好ましい。ここで、斜面１の傾斜角が急になるにつれ、門柱部２０に掛かる門扉部３０の荷重は増大する。しかしながら、第２のキャスタ３２ｂを内側とすることで、第２のキャスタ３２ｂが支点となって門柱部２０に掛かる荷重のモーメントを低減することができる。また、第２のキャスタ３２ｂを内側とすることで、開閉時における筒状部４６の連結シャフト４４に対する上下動や、斜面１の凹凸による上下動を軽減することができる。
【００１９】
以上のように、本発明に係る門扉８０は、門柱部２０と門扉部３０とを連結する回転部４０が門柱部２０に対して傾くことができる。このため、門扉８０を斜面１に設置した場合、開閉時に門扉部３０が斜面１に沿って傾斜し、門柱部２０に過剰な荷重が掛かることがない。これにより、門扉８０自体の部材コストを低減することができる。また、門柱部２０を通常の基礎やアンカー等によって地面に固定することができるため、門扉８０の設置コストを低減することができる。
【００２０】
尚、本例で示した門扉８０の各部の構成、特に回転部４０の構成は一例であるから上記の例に限定されるわけでは無く、本発明は本発明の要旨を逸脱しない範囲で変更して実施することが可能である。
【符号の説明】
【００２１】
２０    門柱部
３０    門扉部
３２ａ  第１のキャスタ
３２ｂ  第２のキャスタ
４０    回転部
４４    連結シャフト
４６    筒状部
８０    門扉
【図１】
0005970531.tif 000002
【図２】
0005970531.tif 000003
【図３】
0005970531.tif 000004
【図４】
0005970531.tif 000005
【図５】
0005970531.tif 000006
【図６】
0005970531.tif 000007